(57)【要約】      （修正有）【課題】ストレッチ器具やエクササイズ器具として使用でき、不使用時に室内にそのままおいても、クッションなどで使用できるストレッチ用クッションを提供する。【解決手段】金属パイプで長円形状に形成されると共に弧状に形成されたフレーム部材１０と、フレーム部材１０の弧状パイプ部間に巻き付けて設けられるクッション保持用バンド１３と、フレーム部材１０の凹部側のクッション保持用バンド１３上に設けられるクッション材１５と、クッション材１５とフレーム部材１０の外周全体を覆う発泡樹脂パッキング体１８と、発泡樹脂パッキング体１８の外周を覆うカバー部材２０とを備えたものである。【選択図】図３
0003194746.tif 000002
【実用新案登録請求の範囲】
【請求項１】
金属パイプで長円形状に形成されると共に弧状に形成されたフレーム部材と、フレーム部材の弧状パイプ部間に巻き付けて設けられるクッション保持用バンドと、フレーム部材の凹部側のクッション保持用バンド上に設けられるクッション材と、クッション材とフレーム部材の外周全体を覆う発泡樹脂パッキング体と、発泡樹脂パッキング体の外周を覆うカバー部材とを備えたことを特徴とするストレッチ用クッション。
【請求項２】
金属パイプは、外径１５〜２５ｍｍで、厚さ０．８〜１．６ｍｍの鋼管からなり、フレーム部材は、両側に位置した半円形部と、その半円形部間に位置した弧状パイプ部とからなり、半円形部の半径が、５０〜８０ｍｍ、弧状パイプ部の円弧の半径が１８０〜２００ｍｍ、半円形部間の幅が３００ｍｍ〜４５０ｍｍ、一方の半円形部を水平にしたとき他方の半円形部が水平に対して１００〜１２０°の角度で傾斜するように形成される請求項１記載のストレッチ用クッション。
【請求項３】
クッション保持用バンドは、ポリプロピレン樹脂テープで形成され、弧状パイプ部間にポリプロピレン樹脂テープを無端ベルト状に巻き掛けて形成され、弧状パイプ部に沿って２０〜５０ｍｍ間隔で設けられる請求項１又は２記載のストレッチ用クッション。
【請求項４】
クッション保持用バンドが設けられたフレーム部材の凸部側には、発泡樹脂パッキング体を支持するフェルトが設けられる請求項１記載のストレッチ用クッション。
【請求項５】
クッション材は、密度５０〜１００ｋｇ／ｍ3のチップウレタンからなる請求項１記載のストレッチ用クッション。
【請求項６】
発泡樹脂パッキング体は、密度１０〜４０ｋｇ／ｍ3の発泡ウレタンフォームからなる請求項１又は５記載のストレッチ用クッション。
【請求項７】
カバー部材は、発泡樹脂パッキング体の外周を覆うインナーカバーと、表裏のインナーカバーの中央部にそれぞれ取り付けられ、その中央部からインナーカバーの外周の玉縁まで延びると共に玉縁にチャックを介して開閉自在に設けられた開閉自在なアウターカバーとからなる請求項１記載のストレッチ用クッション。
【請求項８】
先端が親指大の丸みを帯びた円錐形の指圧部材を備え、その指圧部材が、インナーカバーとアウターカバー間に装着される請求項６記載のストレッチ用クッション。
【請求項９】
指圧部材は、プラスチックで形成された円錐体の底面にフェルトを貼り付けて形成される請求項７記載のストレッチ用クッション。
【請求項１０】
前記クッション材の両側に端部クッション材を設け、臀部を拘束する凹部を形成した請求項１から６いずれか記載のストレッチ用クッション。
【請求項１１】
前記フレーム部材の凸部側に前記フェルトを介して凸部側クッション材を設けた請求項１０記載のストレッチ用クッション。
【請求項１２】
カバー部材は、裏アウターカバーを凸部側のインナーカバーの中央に重ねて設けた凸部側ポーチからなる請求項１０又は１１記載のストレッチ用クッション。
【考案の詳細な説明】
【技術分野】
【０００１】
本考案は、体幹ストレッチ、腹筋ストレッチ、指圧などが行えるストレッチ用クッションに関するものである。
【背景技術】
【０００２】
従来、身体のストレッチを行うストレッチ器具、腹筋、脇腹等の運動を行うエクササイズ器具、或いは指圧器具など、健康を維持する器具は種々のものが提案されている（特許文献１〜４）。
【先行技術文献】
【特許文献】
【０００３】
【特許文献１】特開２０１１−２３９８２４号公報
【特許文献２】特開２０１１−６７２６０号公報
【特許文献３】特開２００７−４９２号公報
【特許文献４】特許第４８７０８５１号公報
【考案の概要】
【考案が解決しようとする課題】
【０００４】
これら器具は、背骨、腰、臀部などを保持し、しかも身体の全体重を支える必要があり、器具の構造材としては、スチールパイプなどを使用して構成されるため、器具としては重量物となり、使用時は問題がないものの、不使用時に、そのまま室内に放置していたのでは、場所を取ってしまい、かといって不使用時に収納しておき、使用時にこれを取り出すのも不便である。
【０００５】
そこで、本考案の目的は、上記課題を解決し、ストレッチ器具やエクササイズ器具として使用でき、不使用時に室内にそのままおいても、クッションとして使用できるストレッチ用クッションを提供することにある。
【課題を解決するための手段】
【０００６】
上記目的を達成するために本考案は、金属パイプで長円形状に形成されると共に弧状に形成されたフレーム部材と、フレーム部材の弧状パイプ部間に巻き付けて設けられるクッション保持用バンドと、フレーム部材の凹部側のクッション保持用バンド上に設けられるクッション材と、クッション材とフレーム部材の外周全体を覆う発泡樹脂パッキング体と、発泡樹脂パッキング体の外周を覆うカバー部材とを備えたことを特徴とするストレッチ用クッションである。
【０００７】
金属パイプは、外径１５〜２５ｍｍで、厚さ０．８〜１．６ｍｍの鋼管からなり、フレーム部材は、両側に位置した半円形部と、その半円形部間に位置した弧状パイプ部とからなり、半円形部の半径が、５０〜８０ｍｍ、弧状パイプ部の円弧の半径が１８０〜２００ｍｍ、半円形部間の幅が３００ｍｍ〜４５０ｍｍ、一方の半円形部を水平にしたとき他方の半円形部が水平に対して１００〜１２０°の角度で傾斜するように形成されるのが好ましい。
【０００８】
クッション保持用バンドは、ポリプロピレン樹脂テープで形成され、弧状パイプ部間にポリプロピレン樹脂テープを無端ベルト状に巻き掛けて形成され、弧状パイプ部に沿って２０〜５０ｍｍ間隔で設けられるのが好ましい。
【０００９】
クッション保持用バンドが設けられたフレーム部材の凸部側には、発泡樹脂パッキング体を支持するフェルトが設けられるのが好ましい。
【００１０】
クッション材は、密度５０〜１００ｋｇ／ｍ3のチップウレタンからなるのが好ましい。
【００１１】
発泡樹脂パッキング体は、密度１０〜４０ｋｇ／ｍ3の発泡ウレタンフォームからなるのが好ましい。
【００１２】
カバー部材は、発泡樹脂パッキング体の外周を覆うインナーカバーと、表裏のインナーカバーの中央部にそれぞれ取り付けられ、その中央部からインナーカバーの外周の玉縁まで延びると共に玉縁にチャックを介して開閉自在に設けられた開閉自在なアウターカバーとからなるのが好ましい。
【００１３】
先端が親指大の丸みを帯びた円錐形の指圧部材を備え、その指圧部材が、インナーカバーとアウターカバー間に装着されるのが好ましい。
【００１４】
指圧部材は、プラスチックで形成された円錐体の底面にフェルトを貼り付けて形成されるのが好ましい。
【００１５】
前記クッション材の両側に端部クッション材を設け、臀部を拘束する凹部を形成されるのが好ましい。
【００１６】
前記フレーム部材の凸部側に前記フェルトを介して凸部側クッション材を設けるのが好ましい。
【００１７】
カバー部材は、裏アウターカバーを凸部側のインナーカバーの中央に重ねて設けた凸部側ポーチからなるのが好ましい。
【考案の効果】
【００１８】
本考案は、フレーム部材を金属パイプで形成し、そのフレーム部材間にクッション保持用バンドを設け、クッション保持用バンドでクッション材、発泡樹脂パッキング体を保持するため、ストレッチや各種エクササイズの際に、全体重をかけても充分な強度があり、しかも５００〜８００ｇ程度であり、室内に放置してもクッションとして利用できるという優れた効果を発揮する。
【図面の簡単な説明】
【００１９】
【図１】本考案のストレッチ用クッションの一実施の形態を示し、アウターカバーを開いた状態の全体斜視図である。
【図２】図１においてアウターカバーを閉じた状態の全体斜視図である。
【図３】図２の正面断面図である。
【図４】図３のＡ−Ａ線矢視図である。
【図５】図３において、クッション保持用バンドを設けた状態のフレーム部材の斜視図である。
【図６】他の実施形態の正面断面図である。
【図７】図６の底面図である。
【考案を実施するための形態】
【００２０】
以下、本考案の好適な一実施の形態を添付図面に基づいて詳述する。
【００２１】
図１〜図５に示すように、本考案のストレッチ用クッションＳＣは、金属パイプで長円形状に形成されると共に弧状に形成されたフレーム部材１０と、フレーム部材１０の弧状パイプ部１２間に巻き付けて設けられるクッション保持用バンド１３と、フレーム部材１０の凹部側のクッション保持用バンド１３上に設けられるクッション材１５と、フレーム部材１０の凸部側のクッション保持用バンド１３下に設けられるフェルト１４と、クッション材１５とフレーム部材１０の外周全体を覆う発泡樹脂パッキング体１８と、発泡樹脂パッキング体１８の外周を覆うカバー部材２０とを備えて構成される。
【００２２】
図４、図５に示すようにフレーム部材１０は、金属パイプをループ状にして、平面視で長円形状に、正面視で弧状に形成され、両側に位置した半円形部１１と、その半円形部１１間に位置した弧状パイプ部１２とを有する。フレーム部材１０を構成する金属パイプは、外径１５〜２５ｍｍで、厚さ０．８〜１．６ｍｍの鋼管からなり、半円形部１１の半径が、５０〜８０ｍｍ、弧状パイプ部１２の円弧の半径が１８０〜２００ｍｍ、半円形部１１間の幅が３００ｍｍ〜４５０ｍｍ、一方の半円形部１１を水平にしたとき他方の半円形部１１が水平に対して１００〜１２０°の角度で傾斜するように形成される。
【００２３】
クッション保持用バンド１３は、ポリプロピレン樹脂テープで形成され、弧状パイプ部１２、１２間にポリプロピレン樹脂テープを無端ベルト状に巻き掛けて形成される。このクッション保持用バンド１３は、弧状パイプ部１２に沿って２０〜５０ｍｍ間隔で、４〜６本程度設けられる。
【００２４】
図３に示すように、フレーム部材１０の凹部側のクッション保持用バンド１３上にクッション材１５が設けられ、凸部側には、発泡樹脂パッキング体１８を支持するためのフェルト１４が設けられる。このフェルト１４は、厚さ２〜５ｍｍの不織布からなり、フレーム部材１０の凸部側を覆うように設けられ、これによりクッション保持用バンド１３間に位置した発泡樹脂パッキング体１８が過度に凹まないように支持する。
【００２５】
発泡樹脂パッキング体１８は、凹部側のクッション材１５と、凸部側のフェルト１４と、これらの外周部を覆うように袋状に形成される。
【００２６】
クッション材１５は、密度５０〜１００ｋｇ／ｍ3のチップウレタンで形成され、発泡樹脂パッキング体１８は、密度１０〜４０ｋｇ／ｍ3の発泡ウレタンフォームで形成される。クッション材１５の厚さは３０〜６０ｍｍで、図４に示したフレーム部材１０の半円形部１１の半径より３０〜５０ｍｍ大きい円形部と両円形部を繋ぐ四角形部とでダンベル形状に形成される。また発泡樹脂パッキング体１８は、厚さ１０〜２０ｍｍで、クッション材１５とフェルト１４の表面とクッション材の外周部を覆うように袋状に形成される。
【００２７】
図１〜図３に示すように、発泡樹脂パッキング体１８を覆うカバー部材２０は、発泡樹脂パッキング体１８の外周を覆うインナーカバー２１と、表裏のインナーカバー２１の中央部にそれぞれ取り付けられ、その中央部からインナーカバー２１の外周の玉縁２２まで延びると共に玉縁２２にチャック２３を介して開閉自在に設けられた開閉自在なアウターカバー２４とで構成される。
【００２８】
インナーカバー２１は、伸縮性のある生地からなり、発泡樹脂パッキング体１８の表裏を覆うように設けられ、その外周が玉縁２２で縫い合わされて形成される。
【００２９】
アウターカバー２４は、インナーカバー２１の表裏を覆うように設けられ、表裏の中央部が、帯体２５にてインナーカバー２１の中央に縫い付けられ、外周がインナーカバー２１の周縁の玉縁２２にチャック２３にて開閉自在に連結され、これにより、インナーカバー２１とアウターカバー２４にて表裏左右に４つのポーチ２６が形成される。
【００３０】
これらポーチ２６には、先端が親指大の丸みを帯びた円錐形の指圧部材２７が適宜装着できるようになっている。
【００３１】
指圧部材２７は、プラスチックで形成された円錐体２８の底面にフェルト２９を貼り付けて形成される。この指圧部材２７は、底面にフェルト２９が貼り付けられるため、ポーチ２６に装着されたときに、インナーカバー２１との適度の摩擦で位置ずれを起こしにくく、またアウターカバー２４を閉じた際には、指でアウターカバー２４を介して指圧部材２７を横向きに押すことで、フェルト２９はインナーカバー２１との適度の摩擦が有っても、比較的簡単に指圧部材２７を移動してインナーカバー２１の所望の位置に移動させることができる。
【００３２】
次に、本実施の形態のストレッチ用クッションＳＣを用いたトレーニングを説明する。
【００３３】
先ず、本考案のストレッチ用クッションＳＣは、総重量が５００〜８００ｇ程度であり、不使用時は、通常のクッションとして使用でき、使用時には、ストレッチ、筋トレ、身体の各部のほぐしや指圧が行えるもので、これらエクササイズを以下に説明する。
【００３４】
ストレッチ：
先ず体幹ストレッチとしては、指圧部材２７を装着せずに外したままのストレッチ用クッションＳＣを、凸部側が上部になるように置き、そのストレッチ用クッションＳＣを縦置きにして背中を当てて、両足両腕を伸ばしながら、背筋伸ばしすることで体幹ストレッチが行える。
【００３５】
この際、フレーム部材１０は、直径１９ｍｍ程度の金属パイプで形成されているため、充分な強度があり、またフレーム部材１０の弧状パイプ部１２間に設けたクッション保持用バンド１３で、発泡樹脂パッキング体１８が保持されるため、体重をかけても、凸形状を保ちながら、荷重を支えることができる。また凸部側の高さを、１００ｍｍ程度にすることで、背骨や背筋を伸ばすに最適なストレッチが行える。
【００３６】
また、ストレッチ用クッションＳＣを横置きにして、ストレッチ用クッションＳＣに肩胛骨辺りを当てて両腕を左右に広げることで、胸や肩伸ばしのストレッチが行える。
【００３７】
筋トレ：
筋トレの際には、ストレッチ用クッションＳＣの凸部側を下にし、これを縦置きにして凹部側に臀部を当てて仰向け状態になり、上半身を起こしたり、脚を上げ下げすることで腹筋運動が行える。
【００３８】
また脇腹（ウエスト）運動の際には、ストレッチ用クッションＳＣを横置きとし、ストレッチ用クッションＳＣに臀部を乗せたまま、体を左右にくねらすことで、ストレッチ用クッションＳＣをシーソー状態に揺らしながらバランスをとることで、脇腹運動が行える。
【００３９】
ほぐし＆指圧：
ストレッチ用クッションＳＣの凸部側を下にして横向きとし、凹部側の両ポーチ２６、２６内に指圧部材２７を装着し、この状態で仰向けになり体を揺らしながら自重をかけることで、腰部から首筋にかけた背骨を中心とした背中の指圧が行える。また臀部に当てて座ることで、臀部の指圧も行える。
【００４０】
この指圧部材２７の位置調整は、アウターカバー２４から指で横向きに指圧部材２７を押すことで簡単に行え、指圧位置を調整することができる。
【００４１】
指圧の際、クッション材１５は、クッション保持用バンド１３で支持されると共に、密度５０〜１００ｋｇ／ｍ3のチップウレタンで形成されるため、軟質な発泡樹脂パッキング体１８からの伝わる荷重を緩やかに受けながら支えることで、指圧部材２７での指圧に適度な弾力を付与できるため、実際の指による指圧に近い状態にすることが可能となる。
【００４２】
また、ストレッチ用クッションＳＣの凸部側を上にした状態で縦置きとし、一方のポーチ２６の左右に指圧部材２７を装着し、その指圧部材２７を装着した側に頭を乗せることで後頭部のツボの指圧が行える。
【００４３】
さらに、椅子の背もたれにストレッチ用クッションＳＣを凹部側が前側になるように置き、その凹部側に背中を当てて座ることで、椅子に座ったまま指圧が行えると共に背筋のストレッチが行える。
【００４４】
この椅子を利用する場合、ストレッチ用クッションＳＣを凹部側が上となるように、かつ縦置きにして、座部に置き、その凹部側に座ることにより、臀部を含めた骨盤がストレッチ用クッションＳＣの凹部に拘束された状態となり、臀部と腰椎をサポートすることで、疲れにくい着座姿勢を保つことができる。
【００４５】
また、この他にも、ストレッチ用クッションＳＣの凸部側を下にし、指圧部材２７をそれぞれ左右の玉縁２２側に寄せて装着し、その指圧部材２７に足裏を当てて起立した状態で、左右に足踏みすることで足裏のマッサージも行える。
【００４６】
図６及び図７により他の実施形態を説明する。
【００４７】
図１から図５で説明した実施の形態では、クッション材１５とフレーム部材１０の外周全体を発泡樹脂パッキング体１８で覆う構成を有するものであるが、図６に示す他の実施形態は、クッション材１５の両側に端部クッション材３０と、フレーム部材１０の凸部側にフェルト１４を介して凸部側クッション材３１とが設けられ、端部クッション材３０とクッション材１５と凸部側クッション材３１との外周全体を発泡樹脂パッキング体３２で覆う構成としたものである。
【００４８】
図６に示した他の実施形態は、クッション材１５の両側に端部クッション材３０を設け、それを発泡樹脂パッキング体３２で覆うことにより臀部を拘束する凹部３３を形成する。端部クッション材３０は、端部クッション材３０ａと端部クッション材３０ｂとから形成される。
【００４９】
発泡樹脂パッキング体３２は、端部クッション材３０と、クッション材１５と、凸部側クッション材３１と、これらの外周部を覆うように袋状に形成される。
【００５０】
利用者は、ストレッチ用クッションＳＣの凸部側を下にして横向きとし、臀部を拘束する凹部３３に臀部を合わせて座ることにより臀部が拘束され、正しい着座姿勢が保たれる。その際、利用者の骨盤は正しい位置に保持され、骨盤の開き、骨盤の反り、骨盤の傾き等の所謂骨盤の歪みを解消することができると共に、正しい着座姿勢を保つことにより利用者の腹筋や背筋等に力が入り腰回りの贅肉を引き締めることができる。
【００５１】
また、上述した脇腹（ウエスト）運動の際には、図１から図５に示したストレッチ用クッションＳＣよりも、臀部が拘束され下半身が固定されることにより外腹斜筋の可動量が多くなり、より効果的に脇腹運動を行うことができる。
【００５２】
凸部側クッション材３１は、利用者がより快適に上述のストレッチやほぐし＆指圧を行えるようクッション性を高めるためのものである。
【００５３】
図６及び図７に示したカバー部材３４について説明する。
【００５４】
図１〜図３に示したカバー部材２０は、ストレッチ用クッションＳＣの凹部側とストレッチ用クッションＳＣの凸部側の双方にチャック２３を介して開閉自在に設けられたアウターカバー２４とで構成する例を示したが、本実施の形態に係るカバー部材３４は、ストレッチ用クッションＳＣの凸部側については、アウターカバーをチャックで開閉する代わりに、裏アウターカバー３５を凸部側のインナーカバー２１の中央に重ねて設けた凸部側ポーチ３６Ｐからなり、開口部３５Ａから凸部側ポーチ３６Ｐに指圧部材２７を挿入することができるようにしたものである。
【００５５】
裏アウターカバー３５は、両端に位置する開口部３５Ａから凸部側のインナーカバー２１が露出するように設けられている。裏アウターカバー３５の中央部分は、凸部側のインナーカバー２１の中央に帯体２５で縫い付けられ、裏アウターカバー３５の開口部３５Ａを除く外周は、凸部側のインナーカバー２１の周縁の玉縁２２で縫い付けられている。
【００５６】
これにより裏アウターカバー３５と凸部側のインナーカバー２１には、左右２つの凸部側ポーチ３６Ｐが形成される。この凸部側ポーチ３６Ｐは、チャックの開閉を必要としないため指圧部材２７の挿入が容易となる。
【００５７】
以上、本考案のストレッチ用クッションＳＣは、不使用時はクッションとしてそのまま使用でき、使用時には、体幹のストレッチ、筋トレ、体のほぐしや指圧など種々のエクササイズが行える。
【符号の説明】
【００５８】
１０  フレーム部材
１２  弧状パイプ部
１３  クッション保持用バンド
１５  クッション材
１８  発泡樹脂パッキング体
２０  カバー部材
３０  端部クッション材
３１  凸部側クッション材
３３  凹部
３４  カバー部材
３５  裏アウターカバー
３５Ａ  開口部
３６Ｐ  凸部側ポーチ
ＳＣ  ストレッチ用クッション
【図１】
0003194746.tif 000003
【図２】
0003194746.tif 000004
【図３】
0003194746.tif 000005
【図４】
0003194746.tif 000006
【図５】
0003194746.tif 000007
【図６】
0003194746.tif 000008
【図７】
0003194746.tif 000009
【手続補正書】
【提出日】平成26年10月3日(2014.10.3)
【手続補正１】
【補正対象書類名】実用新案登録請求の範囲
【補正対象項目名】全文
【補正方法】変更
【補正の内容】
【実用新案登録請求の範囲】
【請求項１】
金属パイプで長円形状に形成されると共に弧状に形成されたフレーム部材と、フレーム部材の弧状パイプ部間に巻き付けて設けられるクッション保持用バンドと、フレーム部材の凹部側のクッション保持用バンド上に設けられるクッション材と、クッション材とフレーム部材の外周全体を覆う発泡樹脂パッキング体と、発泡樹脂パッキング体の外周を覆うカバー部材とを備えたことを特徴とするストレッチ用クッション。
【請求項２】
金属パイプは、外径１５〜２５ｍｍで、厚さ０．８〜１．６ｍｍの鋼管からなり、フレーム部材は、両側に位置した半円形部と、その半円形部間に位置した弧状パイプ部とからなり、半円形部の半径が、５０〜８０ｍｍ、弧状パイプ部の円弧の半径が１８０〜２００ｍｍ、半円形部間の幅が３００ｍｍ〜４５０ｍｍ、一方の半円形部を水平にしたとき他方の半円形部が水平に対して１００〜１２０°の角度で傾斜するように形成される請求項１記載のストレッチ用クッション。
【請求項３】
クッション保持用バンドは、ポリプロピレン樹脂テープで形成され、弧状パイプ部間にポリプロピレン樹脂テープを無端ベルト状に巻き掛けて形成され、弧状パイプ部に沿って２０〜５０ｍｍ間隔で設けられる請求項１又は２記載のストレッチ用クッション。
【請求項４】
クッション保持用バンドが設けられたフレーム部材の凸部側には、発泡樹脂パッキング体を支持するフェルトが設けられる請求項１記載のストレッチ用クッション。
【請求項５】
クッション材は、密度５０〜１００ｋｇ／ｍ3のチップウレタンからなる請求項１記載のストレッチ用クッション。
【請求項６】
発泡樹脂パッキング体は、密度１０〜４０ｋｇ／ｍ3の発泡ウレタンフォームからなる請求項１又は５記載のストレッチ用クッション。
【請求項７】
カバー部材は、発泡樹脂パッキング体の外周を覆うインナーカバーと、表裏のインナーカバーの中央部にそれぞれ取り付けられ、その中央部からインナーカバーの外周の玉縁まで延びると共に玉縁にチャックを介して開閉自在に設けられた開閉自在なアウターカバーとからなる請求項１記載のストレッチ用クッション。
【請求項８】
先端が親指大の丸みを帯びた円錐形の指圧部材を備え、その指圧部材が、インナーカバーとアウターカバー間に装着される請求項６記載のストレッチ用クッション。
【請求項９】
指圧部材は、プラスチックで形成された円錐体の底面にフェルトを貼り付けて形成される請求項８記載のストレッチ用クッション。
【請求項１０】
前記クッション材の両側に端部クッション材を設け、臀部を拘束する凹部を形成した請求項１から６いずれか記載のストレッチ用クッション。
【請求項１１】
前記フレーム部材の凸部側に前記フェルトを介して凸部側クッション材を設けた請求項１０記載のストレッチ用クッション。
【請求項１２】
カバー部材は、裏アウターカバーを凸部側のインナーカバーの中央に重ねて設けた凸部側ポーチからなる請求項１０又は１１記載のストレッチ用クッション。